(57)【要約】【課題】グループスクランブリング方式においても、パイロットチャネル信号の干渉を抑圧し、サービスエリア境界でのチャネル推定精度を向上させることができるようにする。【解決手段】本発明に係るＯＦＤＭ送信機においては、直交コードパターン乗算部５１は、いずれかのサブキャリアグループに属するパイロットチャネル信号に対して、第１のサービスエリアと、第１のサービスエリアを構成する送信機に隣接する１または複数の他のサービスエリアとの間で互いに異なる直交コードを乗算し、または、サブキャリア割り当て部２４は、パイロットチャネル信号を、複数の送信機間で同一のパイロットサブキャリアであり、かつ制御局から第１のサービスエリアの構成要素となるすべての送信機に対して予め通知されたパイロット配置に基づくパイロットサブキャリアに割り当てることを特徴とする。【選択図】  図８
2010114858.tif 000002
【特許請求の範囲】
【請求項１】
ＯＦＤＭ送信機と、複数の前記ＯＦＤＭ送信機により構成される同一のサービスエリアを提供する制御局からなる通信処理システムにおいて、
前記制御局は、
同一のサービスエリアを構成するすべての前記ＯＦＤＭ送信機に対して、マクロダイバーシチ受信が適用されるデータの時間シンボルを決定するとともに、前記データの送信時に同一のサービスエリアを構成するすべての前記ＯＦＤＭ送信機にてパイロットチャネル信号に乗算される直交コードおよび前記パイロットチャネル信号のパイロット配置の少なくともいずれか１つ以上を決定し、
決定された前記時間シンボルに関する情報、および前記直交コードと前記パイロット配置の少なくともいずれか１つ以上を、同一のサービスエリアを構成するすべての前記ＯＦＤＭ送信機に対して送信し、
同一のサービスエリアを構成する各前記ＯＦＤＭ送信機は、
前記制御局からの前記時間シンボルに関する情報を受信するとともに、前記制御局からの前記直交コードと前記パイロット配置の少なくともいずれか１つ以上を受信し、
前記制御局からの前記直交コードと前記パイロット配置の少なくともいずれか１つ以上に基づいて、前記直交コードによる乗算および前記パイロット配置に基づくサブキャリアに対する前記パイロットチャネル信号の割り当ての少なくともいずれか１つ以上を行い、
サブキャリアグループを設定しつつ、前記時間シンボル情報に基づく時間シンボルでＯＦＤＭ信号を生成し、
生成されたＯＦＤＭ信号をＯＦＤＭ受信機に送信することを特徴とする通信処理システム。
【請求項２】
第１のサービスエリアを構成するＯＦＤＭ送信機のＯＦＤＭ信号送信方法において、
通信路符号化によって得られるビット列を変調して第１のデータチャネル信号および第２のデータチャネル信号のうちのいずれか１つ以上のデータチャネル信号を生成するデータチャネル信号生成ステップと、
パイロットチャネル信号を生成するパイロットチャネル信号生成ステップと、
前記データチャネル信号生成ステップの処理により生成された前記データチャネル信号と、パイロットチャネル信号生成手段により生成された前記パイロットチャネル信号を、複数のＯＦＤＭ送信機間で同一のパイロットサブキャリアとデータサブキャリアに割り当てる割り当てステップと、
第１のパイロットサブキャリアと、前記第１のパイロットサブキャリアと同一のスクランブリングコードが乗算される第２のパイロットサブキャリアと、前記第１のパイロットサブキャリアと前記第２のパイロットサブキャリアに時間と周波数が近く、かつ同一のスクランブリングコードが乗算される１または複数の前記データサブキャリアを含む少なくとも１つのサブキャリアグループを設定するサブキャリアグループ設定ステップと、
前記パイロットチャネル信号生成ステップの処理により生成された前記パイロットチャネル信号のうち、前記サブキャリアグループ設定ステップの処理により設定されるいずれかのサブキャリアグループに属する前記パイロットチャネル信号に対して、前記第１のサービスエリアと、前記第１のサービスエリアを構成する前記ＯＦＤＭ送信機に隣接する１または複数の他のサービスエリアとの間で互いに異なる直交コードを乗算する直交コード乗算ステップと、
前記データチャネル信号のうちの、サブキャリアグループ設定ステップの処理によってサブキャリアグループが設定された第１のデータチャネル信号および、前記直交コード乗算ステップの処理により前記直交コードが乗算された前記パイロットチャネル信号に対して、同一のサブキャリアグループが設定された複数の前記ＯＦＤＭ送信機間で同一のスクランブリングコードを乗算する一方、前記データチャネル信号のうちの、サブキャリアグループ設定手段によってサブキャリアグループが設定されていない第２のデータチャネル信号に対して、各々の前記ＯＦＤＭ送信機間で直交もしくは擬似直交の予め定められた前記ＯＦＤＭ送信機に固有のスクランブリングコードを乗算するスクランブリングステップと、
前記サブキャリアグループ毎に、複素数値を前記パイロットチャネル信号および前記第１のデータチャネル信号に乗算する複素数値乗算ステップと、
前記第１のサービスエリアを構成する複数の前記ＯＦＤＭ送信機を制御する制御局からの前記時間シンボル情報に基づく時間シンボルで、前記スクランブリング手段により各々の前記ＯＦＤＭ送信機間で直交もしくは擬似直交の予め定められた前記ＯＦＤＭ送信機に固有のスクランブリングコードが乗算された前記第２のデータチャネル信号と、前記複素数値乗算ステップの処理により前記複素数値が乗じられた前記パイロットチャネル信号と前記第１のデータチャネル信号に対してＯＦＤＭ変調を施し、ＯＦＤＭ信号を生成するＯＦＤＭ信号生成ステップと、
前記ＯＦＤＭ信号生成ステップの処理により生成された前記ＯＦＤＭ信号をＯＦＤＭ受信機にアンテナを介して送信する送信ステップとを含むことを特徴とするＯＦＤＭ信号送信方法。
【請求項３】
第１のサービスエリアを構成するＯＦＤＭ送信機のＯＦＤＭ信号送信方法において、
通信路符号化によって得られるビット列を変調して第１のデータチャネル信号および第２のデータチャネル信号のうちのいずれか１つ以上のデータチャネル信号を生成するデータチャネル信号生成ステップと、
パイロットチャネル信号を生成するパイロットチャネル信号生成ステップと、
前記データチャネル信号生成ステップの処理により生成された前記データチャネル信号を、複数のＯＦＤＭ送信機間で同一のデータサブキャリアに割り当てるとともに、パイロットチャネル信号生成ステップの処理により生成された前記パイロットチャネル信号を、複数のＯＦＤＭ送信機間で同一のパイロットサブキャリアであり、かつ前記第１のサービスエリアを構成する前記ＯＦＤＭ送信機を制御する制御局から前記第１のサービスエリアの構成要素となるすべての前記ＯＦＤＭ送信機に対して予め通知されたパイロット配置に基づくパイロットサブキャリアに割り当てる割り当てステップと、
第１のパイロットサブキャリアと、前記第１のパイロットサブキャリアと同一のスクランブリングコードが乗算される第２のパイロットサブキャリアと、前記第１のパイロットサブキャリアと前記第２のパイロットサブキャリアに時間と周波数が近く、かつ同一のスクランブリングコードが乗算される１または複数の前記データサブキャリアを含む少なくとも１つのサブキャリアグループを設定するサブキャリアグループ設定ステップと、
前記データチャネル信号のうちの、サブキャリアグループ設定ステップによってサブキャリアグループが設定された第１のデータチャネル信号および前記パイロットチャネル信号に対して、同一のサブキャリアグループが設定された複数の前記ＯＦＤＭ送信機間で同一のスクランブリングコードを乗算する一方、前記データチャネル信号のうちの、サブキャリアグループ設定ステップの処理によってサブキャリアグループが設定されていない第２のデータチャネル信号に対して、各々の前記ＯＦＤＭ送信機間で直交もしくは擬似直交の予め定められた前記ＯＦＤＭ送信機に固有のスクランブリングコードを乗算するスクランブリングステップと、
前記サブキャリアグループ毎に、複素数値を前記パイロットチャネル信号および前記第１のデータチャネル信号に乗算する複素数値乗算ステップと、
前記制御局からの前記時間シンボル情報に基づく時間シンボルで、前記スクランブリング手段により各々の前記ＯＦＤＭ送信機間で直交もしくは擬似直交の予め定められた前記ＯＦＤＭ送信機に固有のスクランブリングコードが乗算された前記第２のデータチャネル信号と、前記複素数値乗算ステップの処理により前記複素数値が乗じられた前記パイロットチャネル信号と前記第１のデータチャネル信号に対してＯＦＤＭ変調を施し、ＯＦＤＭ信号を生成するＯＦＤＭ信号生成ステップと、
前記ＯＦＤＭ信号生成ステップの処理により生成された前記ＯＦＤＭ信号をＯＦＤＭ受信機にアンテナを介して送信する送信ステップとを含むことを特徴とするＯＦＤＭ信号送信方法。
【請求項４】
第１のサービスエリアを構成するＯＦＤＭ送信機において、
通信路符号化によって得られるビット列を変調して第１のデータチャネル信号および第２のデータチャネル信号のうちのいずれか１つ以上のデータチャネル信号を生成するデータチャネル信号生成手段と、
パイロットチャネル信号を生成するパイロットチャネル信号生成手段と、
前記データチャネル信号生成手段により生成された前記データチャネル信号と、パイロットチャネル信号生成手段により生成された前記パイロットチャネル信号を、複数のＯＦＤＭ送信機間で同一のパイロットサブキャリアとデータサブキャリアに割り当てる割り当て手段と、
第１のパイロットサブキャリアと、前記第１のパイロットサブキャリアと同一のスクランブリングコードが乗算される第２のパイロットサブキャリアと、前記第１のパイロットサブキャリアと前記第２のパイロットサブキャリアに時間と周波数が近く、かつ同一のスクランブリングコードが乗算される１または複数の前記データサブキャリアを含む少なくとも１つのサブキャリアグループを設定するサブキャリアグループ設定手段と、
前記パイロットチャネル信号生成手段により生成された前記パイロットチャネル信号のうち、前記サブキャリアグループ設定手段により設定されるいずれかのサブキャリアグループに属する前記パイロットチャネル信号に対して、前記第１のサービスエリアと、前記第１のサービスエリアを構成する前記ＯＦＤＭ送信機に隣接する１または複数の他のサービスエリアとの間で互いに異なる直交コードを乗算する直交コード乗算手段と、
前記データチャネル信号のうちの、サブキャリアグループ設定手段によってサブキャリアグループが設定された第１のデータチャネル信号および、前記直交コード乗算手段により前記直交コードが乗算された前記パイロットチャネル信号に対して、同一のサブキャリアグループが設定された複数の前記ＯＦＤＭ送信機間で同一のスクランブリングコードを乗算する一方、前記データチャネル信号のうちの、サブキャリアグループ設定手段によってサブキャリアグループが設定されていない第２のデータチャネル信号に対して、各々の前記ＯＦＤＭ送信機間で直交もしくは擬似直交の予め定められた前記ＯＦＤＭ送信機に固有のスクランブリングコードを乗算するスクランブリング手段と、
前記サブキャリアグループ毎に、複素数値を前記パイロットチャネル信号および前記第１のデータチャネル信号に乗算する複素数値乗算手段と、
前記第１のサービスエリアを構成する複数の前記ＯＦＤＭ送信機を制御する制御局からの前記時間シンボル情報に基づく時間シンボルで、前記スクランブリング手段により各々の前記ＯＦＤＭ送信機間で直交もしくは擬似直交の予め定められた前記ＯＦＤＭ送信機に固有のスクランブリングコードが乗算された前記第２のデータチャネル信号と、前記複素数値乗算手段により前記複素数値が乗じられた前記パイロットチャネル信号と前記第１のデータチャネル信号に対してＯＦＤＭ変調を施し、ＯＦＤＭ信号を生成するＯＦＤＭ信号生成手段と、
前記ＯＦＤＭ信号生成手段により生成された前記ＯＦＤＭ信号をＯＦＤＭ受信機にアンテナを介して送信する送信手段とを備えることを特徴とするＯＦＤＭ送信機。
【請求項５】
前記割り当て手段は、前記パイロットチャネル信号を、前記制御局から前記第１のサービスエリアの構成要素となるすべての前記ＯＦＤＭ送信機に対して予め通知されたパイロット配置に基づくパイロットサブキャリアに割り当てることを特徴とする請求項４に記載のＯＦＤＭ送信機。
【請求項６】
前記パイロット配置は、前記第１のサービスエリアと、前記第１のサービスエリアを構成する前記ＯＦＤＭ送信機に隣接する１または複数の他のサービスエリアとの間で互いに異なることを特徴とする請求項５に記載のＯＦＤＭ送信機。
【請求項７】
前記パイロット配置は、前記第１のサービスエリアの構成要素となる各前記ＯＦＤＭ送信機間で同一であることを特徴とする請求項５に記載のＯＦＤＭ送信機。
【請求項８】
第１のサービスエリアを構成するＯＦＤＭ送信機において、
通信路符号化によって得られるビット列を変調して第１のデータチャネル信号および第２のデータチャネル信号のうちのいずれか１つ以上のデータチャネル信号を生成するデータチャネル信号生成手段と、
パイロットチャネル信号を生成するパイロットチャネル信号生成手段と、
前記データチャネル信号生成手段により生成された前記データチャネル信号を、複数のＯＦＤＭ送信機間で同一のデータサブキャリアに割り当てるとともに、パイロットチャネル信号生成手段により生成された前記パイロットチャネル信号を、複数のＯＦＤＭ送信機間で同一のパイロットサブキャリアであり、かつ前記第１のサービスエリアを構成する前記ＯＦＤＭ送信機を制御する制御局から前記第１のサービスエリアの構成要素となるすべての前記ＯＦＤＭ送信機に対して予め通知されたパイロット配置に基づくパイロットサブキャリアに割り当てる割り当て手段と、
第１のパイロットサブキャリアと、前記第１のパイロットサブキャリアと同一のスクランブリングコードが乗算される第２のパイロットサブキャリアと、前記第１のパイロットサブキャリアと前記第２のパイロットサブキャリアに時間と周波数が近く、かつ同一のスクランブリングコードが乗算される１または複数の前記データサブキャリアを含む少なくとも１つのサブキャリアグループを設定するサブキャリアグループ設定手段と、
前記データチャネル信号のうちの、サブキャリアグループ設定手段によってサブキャリアグループが設定された第１のデータチャネル信号および前記パイロットチャネル信号に対して、同一のサブキャリアグループが設定された複数の前記ＯＦＤＭ送信機間で同一のスクランブリングコードを乗算する一方、前記データチャネル信号のうちの、サブキャリアグループ設定手段によってサブキャリアグループが設定されていない第２のデータチャネル信号に対して、各々の前記ＯＦＤＭ送信機間で直交もしくは擬似直交の予め定められた前記ＯＦＤＭ送信機に固有のスクランブリングコードを乗算するスクランブリング手段と、
前記サブキャリアグループ毎に、複素数値を前記パイロットチャネル信号および前記第１のデータチャネル信号に乗算する複素数値乗算手段と、
前記制御局からの前記時間シンボル情報に基づく時間シンボルで、前記スクランブリング手段により各々の前記ＯＦＤＭ送信機間で直交もしくは擬似直交の予め定められた前記ＯＦＤＭ送信機に固有のスクランブリングコードが乗算された前記第２のデータチャネル信号と、前記複素数値乗算手段により前記複素数値が乗じられた前記パイロットチャネル信号と前記第１のデータチャネル信号に対してＯＦＤＭ変調を施し、ＯＦＤＭ信号を生成するＯＦＤＭ信号生成手段と、
前記ＯＦＤＭ信号生成手段により生成された前記ＯＦＤＭ信号をＯＦＤＭ受信機にアンテナを介して送信する送信手段とを備えることを特徴とするＯＦＤＭ送信機。
【請求項９】
前記パイロットチャネル信号生成手段により生成された前記パイロットチャネル信号のうち、前記サブキャリアグループ設定手段により設定されるいずれかのサブキャリアグループに属する前記パイロットチャネル信号に対して、前記第１のサービスエリアと、前記第１のサービスエリアを構成する前記ＯＦＤＭ送信機に隣接する１または複数の他のサービスエリアとの間で互いに異なる直交コードを乗算する直交コード乗算手段をさらに備えることを特徴とする請求項８に記載のＯＦＤＭ送信機。
【請求項１０】
前記パイロット配置は、前記第１のサービスエリアと、前記第１のサービスエリアを構成する前記ＯＦＤＭ送信機に隣接する１または複数の他のサービスエリアとの間で互いに異なることを特徴とする請求項８に記載のＯＦＤＭ送信機。
【請求項１１】
前記パイロット配置は、前記第１のサービスエリアの構成要素となる各前記ＯＦＤＭ送信機間で同一であることを特徴とする請求項８に記載のＯＦＤＭ送信機。
【請求項１２】
第１のサービスエリアを構成するＯＦＤＭ送信機から送信されたＯＦＤＭ信号を受信する受信手段と、
前記受信手段により受信された前記ＯＦＤＭ信号に対してＯＦＤＭ復調を施し、サブキャリア毎の信号に分割するＯＦＤＭ復調手段と、
前記サブキャリア毎に分割された信号から、前記サブキャリアにそれぞれ割り当てられているパイロットチャネル信号とデータチャネル信号を分離する分離手段と、
前記分離手段により分離された前記データチャネル信号に対して、同一のサブキャリアグループが設定された複数の前記ＯＦＤＭ送信機間で同一のスクランブリングコード、または前記ＯＦＤＭ送信機に固有のスクランブリングコードを用いてデスクランブリングするデスクランブリング手段と、
前記分離手段により分離れた前記パイロットチャネル信号に対して、前記第１のサービスエリアと、前記第１のサービスエリアを構成する前記ＯＦＤＭ送信機に隣接する１または複数の他のサービスエリアとの間で互いに異なる直交コードを乗算する直交コード乗算手段と、
前記直交コード乗算手段により前記直交コードが乗算された前記パイロットチャネル信号に基づいて、前記分離手段により分離された前記データチャネル信号のチャネル推定を行うチャネル推定手段と、
前記チャネル推定手段により推定されたチャネル推定値を用いて、前記デスクランブリング手段によりデスクランブリングされた前記データチャネル信号を等化する等化手段と、
前記等化手段により等化された前記データチャネル信号を復調するデータ復調手段とを備えることを特徴とするＯＦＤＭ受信機。
【請求項１３】
前記分離手段により分離される前記パイロットチャネル信号は、前記第１のサービスエリアを構成する前記ＯＦＤＭ送信機を制御する制御局から前記第１のサービスエリアの構成要素となるすべての前記ＯＦＤＭ送信機に対して予め通知されたパイロット配置に基づくパイロットサブキャリアに割り当てられた前記パイロットチャネル信号であることを特徴とする請求項１２に記載のＯＦＤＭ受信機。
【請求項１４】
前記パイロット配置は、前記第１のサービスエリアと、前記第１のサービスエリアを構成する前記ＯＦＤＭ送信機に隣接する１または複数の他のサービスエリアとの間で互いに異なることを特徴とする請求項１３に記載のＯＦＤＭ受信機。
【請求項１５】
前記パイロット配置は、前記第１のサービスエリアの構成要素となる各前記ＯＦＤＭ送信機間で同一であることを特徴とする請求項１３に記載のＯＦＤＭ受信機。
【請求項１６】
第１のサービスエリアを構成するＯＦＤＭ送信機から送信されたＯＦＤＭ信号を受信する受信手段と、
前記受信手段により受信された前記ＯＦＤＭ信号に対してＯＦＤＭ復調を施し、サブキャリア毎の信号に分割するＯＦＤＭ復調手段と、
前記サブキャリア毎に分割された信号から、前記第１のサービスエリアを構成する前記ＯＦＤＭ送信機を制御する制御局から前記第１のサービスエリアの構成要素となるすべての前記ＯＦＤＭ送信機に対して予め通知されたパイロット配置に基づくパイロットサブキャリアに割り当てられた前記パイロットチャネル信号と、前記サブキャリアに割り当てられているデータチャネル信号を分離する分離手段と、
前記分離手段により分離された前記データチャネル信号号に対して、同一のサブキャリアグループが設定された複数の前記ＯＦＤＭ送信機間で同一のスクランブリングコード、または前記ＯＦＤＭ送信機に固有のスクランブリングコードを用いてデスクランブリングするデスクランブリング手段と、
前記分離手段により分離された前記パイロットチャネル信号に基づいて、前記分離手段により分離された前記データチャネル信号のチャネル推定を行うチャネル推定手段と、
前記チャネル推定手段により推定されたチャネル推定値を用いて、前記デスクランブリング手段によりデスクランブリングされた前記データチャネル信号を等化する等化手段と、
前記等化手段により等化された前記データチャネル信号を復調するデータ復調手段とを備えることを特徴とするＯＦＤＭ受信機。
【請求項１７】
前記分離手段により分離れた前記パイロットチャネル信号に対して、前記第１のサービスエリアと、前記第１のサービスエリアを構成する前記ＯＦＤＭ送信機に隣接する１または複数の他のサービスエリアとの間で互いに異なる直交コードを乗算する直交コード乗算手段をさらに備えることを特徴とする請求項１６に記載のＯＦＤＭ受信機。
【請求項１８】
複数の前記ＯＦＤＭ送信機により構成される同一のサービスエリアを提供する制御局において、
同一のサービスエリアを構成するすべての前記ＯＦＤＭ送信機に対して、マクロダイバーシチ受信が適用されるデータの時間シンボルを決定するとともに、前記データの送信時に同一のサービスエリアを構成するすべての前記ＯＦＤＭ送信機にてパイロットチャネル信号に乗算される直交コードおよび前記パイロットチャネル信号のパイロット配置の少なくともいずれか１つ以上を決定する決定手段と、
前記決定手段により決定された前記時間シンボルに関する情報、および前記直交コードと前記パイロット配置の少なくともいずれか１つ以上を、同一のサービスエリアを構成するすべての前記ＯＦＤＭ送信機に対して送信する送信手段とを備えることを特徴とする制御局。
【発明の詳細な説明】
【技術分野】
【０００１】
本発明は通信処理システム、ＯＦＤＭ信号送信方法、ＯＦＤＭ送信機、ＯＦＤＭ受信機、および制御局に係り、特に、直交周波数分割多重信号（ＯＦＤＭ信号）を送受信することができるようにした通信処理システム、ＯＦＤＭ信号送信方法、ＯＦＤＭ送信機、ＯＦＤＭ受信機、および制御局に関する。
【背景技術】
【０００２】
無線アクセススキームがＯＦＤＭ（Orthogonal Frequency Division Multiplexing）であり、マルチキャスト／ブロードキャスト通信（以下、「MBS通信」という）を行う場合を想定している。また、このMBS通信を行う場合であって、さらにGroup-wise Scrambling方式（グループスクランブリング方式）が適用されるときを想定しており（例えば特許文献１参照）、特に１つのサブキャリアグループ内に２つ以上のパイロットサブキャリアを配置することを前提（例えば特許文献２参照）とする。
【０００３】
セルラ網を使ってセルエリア内に存在する各ユーザ（すなわち、各ユーザが保有する移動局MS（Mobile Station））に共通の物理リソースを割り当て、高画質な動画のストリーミング配信やニュース情報の配信、あるいはコマーシャルフィルムなどの配信を行うマルチキャスト／ブロードキャストサービス（MBS）の標準化が行われている（非特許文献１）。これに対して、基地局が１つの移動局MSに個別の物理リソースを割り当てて行う通信を「ユニキャスト通信」と呼ぶ。MBS通信の場合、少なくとも１つ以上の基地局から同一のマルチキャスト／ブロードキャストデータが送信される。なお、MBS通信を行う基地局の集合を「マルチキャスト／ブロードキャストサービスエリア」と定義する。マルチキャスト／ブロードキャストサービスエリアを構成する基地局の場合、一般的に、放送サービスと比較して１つの基地局がカバーするエリアは狭く、基地局のセルサイズは小さい。従って、小さなエリアでのみ有効なロケーションベースの情報サービスが可能となる。
【０００４】
上述したマルチキャスト／ブロードキャストサービス（MBS）ごとにそれぞれのマルチキャスト／ブロードキャストサービスエリアを異ならせることも可能である。この場合、異なるマルチキャスト／ブロードキャストサービスエリアの境界において、マルチキャスト／ブロードキャストサービス（MBS）同士の干渉が生じうることから、このMBS同士の干渉の影響を抑圧することが重要である。
【特許文献１】特開２００７−１８９６４６号公報
【特許文献２】特開２００８−２０１２０８号公報
【非特許文献１】IEEE802.16e規格
【発明の開示】
【発明が解決しようとする課題】
【０００５】
特許文献２に提案されている技術では、１つのサブキャリアグループ内に配置される複数のパイロット信号には同じスクランブリングコードがかけられており、サブキャリアグループ内の複数のパイロット信号のみを平均化または補間することによってチャネル推定を行う。従って、隣接するマルチキャスト／ブロードキャストサービスエリアでパイロットサブキャリアの位置が同じであれば、パイロット信号による干渉は強められてしまい、正しいチャネル応答を求めることができず、その結果、受信性能が劣化してしまう。
【０００６】
具体的には、図１に示されるように、マルチキャスト／ブロードキャストサービスエリアAに属する基地局１から送信される送信信号におけるサブキャリアグループ♯１内には、２つのパイロットサブキャリアが配置されており、パイロットチャネル信号がそれぞれa1であるとする。また、マルチキャスト／ブロードキャストサービスエリアBに属する基地局２から送信される送信信号におけるサブキャリアグループ♯１内には、基地局１に関するサブキャリアグループ♯１の場合と同じ位置に２つのパイロットサブキャリアが配置されており、パイロットチャネル信号がそれぞれb1とする。さらに基地局１から移動局MSまでのチャネル応答をh_a1、基地局２から移動機までのチャネル応答をh_b1とする。マルチキャスト／ブロードキャストサービスエリアAに属し、かつマルチキャスト／ブロードキャストサービスエリアBに隣接する移動局MSの所望のチャネル応答推定値は、移動局MSがサブキャリアグループ♯１に割り当てられている場合には、h_a1である。しかしながら、パイロットチャネル信号の干渉によって、実際にはa1h_a1+b1h_b1+n1/2+n2/2+n3/2+n4/2となる。移動局MSにとってはa1は既知であるため、a1で除することにより、チャネル応答として、h_a1+b1*(h_b1/a1)+(n1/2+n2/2+n3/2+n4/2)/a1が求められる。ここで、n*/2はノイズ成分であり、SNRが十分高いと仮定すると無視でき、マルチキャスト／ブロードキャストサービスエリアBに近い場合、b1の信号電力が大きいため上記2項目が大きくなり、チャネル応答の品質が劣化してしまう。サブキャリアグループ♯２や３についても同様である。
【０００７】
本発明は、このような状況に鑑みてなされたものであり、グループスクランブリング方式を用いた場合であっても、マルチキャスト／ブロードキャストサービス通信時におけるパイロットチャネル信号の干渉を抑圧し、マルチキャストブロード／キャストサービスエリア境界でのチャネル推定精度を向上させることができる通信処理システム、ＯＦＤＭ信号送信方法、ＯＦＤＭ送信機、ＯＦＤＭ受信機、および制御局を提供することを目的とする。
【課題を解決するための手段】
【０００８】
本発明の通信処理システムは、上述した課題を解決するために、ＯＦＤＭ送信機と、複数のＯＦＤＭ送信機により構成される同一のサービスエリアを提供する制御局からなる通信処理システムにおいて、制御局は、同一のサービスエリアを構成するすべてのＯＦＤＭ送信機に対して、マクロダイバーシチ受信が適用されるデータの時間シンボルを決定するとともに、データの送信時に同一のサービスエリアを構成するすべてのＯＦＤＭ送信機にてパイロットチャネル信号に乗算される直交コードおよびパイロットチャネル信号のパイロット配置の少なくともいずれか１つ以上を決定し、決定された時間シンボルに関する情報、および直交コードとパイロット配置の少なくともいずれか１つ以上を、同一のサービスエリアを構成するすべてのＯＦＤＭ送信機に対して送信し、同一のサービスエリアを構成する各ＯＦＤＭ送信機は、制御局からの時間シンボルに関する情報を受信するとともに、制御局からの直交コードとパイロット配置の少なくともいずれか１つ以上を受信し、制御局からの直交コードとパイロット配置の少なくともいずれか１つ以上に基づいて、直交コードによる乗算およびパイロット配置に基づくサブキャリアに対するパイロットチャネル信号の割り当ての少なくともいずれか１つ以上を行い、サブキャリアグループを設定しつつ、時間シンボル情報に基づく時間シンボルでＯＦＤＭ信号を生成し、生成されたＯＦＤＭ信号をＯＦＤＭ受信機に送信することを特徴とする。
【０００９】
本発明のＯＦＤＭ信号送信方法は、上述した課題を解決するために、第１のサービスエリアを構成するＯＦＤＭ送信機のＯＦＤＭ信号送信方法において、通信路符号化によって得られるビット列を変調して第１のデータチャネル信号および第２のデータチャネル信号のうちのいずれか１つ以上のデータチャネル信号を生成するデータチャネル信号生成ステップと、パイロットチャネル信号を生成するパイロットチャネル信号生成ステップと、データチャネル信号生成ステップの処理により生成されたデータチャネル信号と、パイロットチャネル信号生成手段により生成されたパイロットチャネル信号を、複数のＯＦＤＭ送信機間で同一のパイロットサブキャリアとデータサブキャリアに割り当てる割り当てステップと、第１のパイロットサブキャリアと、第１のパイロットサブキャリアと同一のスクランブリングコードが乗算される第２のパイロットサブキャリアと、第１のパイロットサブキャリアと第２のパイロットサブキャリアに時間と周波数が近く、かつ同一のスクランブリングコードが乗算される１または複数のデータサブキャリアを含む少なくとも１つのサブキャリアグループを設定するサブキャリアグループ設定ステップと、パイロットチャネル信号生成ステップの処理により生成されたパイロットチャネル信号のうち、サブキャリアグループ設定ステップの処理により設定されるいずれかのサブキャリアグループに属するパイロットチャネル信号に対して、第１のサービスエリアと、第１のサービスエリアを構成するＯＦＤＭ送信機に隣接する１または複数の他のサービスエリアとの間で互いに異なる直交コードを乗算する直交コード乗算ステップと、データチャネル信号のうちの、サブキャリアグループ設定ステップの処理によってサブキャリアグループが設定された第１のデータチャネル信号および、直交コード乗算ステップの処理により直交コードが乗算されたパイロットチャネル信号に対して、同一のサブキャリアグループが設定された複数のＯＦＤＭ送信機間で同一のスクランブリングコードを乗算する一方、データチャネル信号のうちの、サブキャリアグループ設定手段によってサブキャリアグループが設定されていない第２のデータチャネル信号に対して、各々のＯＦＤＭ送信機間で直交もしくは擬似直交の予め定められた送信機に固有のスクランブリングコードを乗算するスクランブリングステップと、サブキャリアグループ毎に、複素数値をパイロットチャネル信号および第１のデータチャネル信号に乗算する複素数値乗算ステップと、第１のサービスエリアを構成する複数のＯＦＤＭ送信機を制御する制御局からの時間シンボル情報に基づく時間シンボルで、スクランブリング手段により各々のＯＦＤＭ送信機間で直交もしくは擬似直交の予め定められたＯＦＤＭ送信機に固有のスクランブリングコードが乗算された第２のデータチャネル信号と、複素数値乗算ステップの処理により複素数値が乗じられたパイロットチャネル信号と第１のデータチャネル信号に対してＯＦＤＭ変調を施し、ＯＦＤＭ信号を生成するＯＦＤＭ信号生成ステップと、ＯＦＤＭ信号生成ステップの処理により生成されたＯＦＤＭ信号をＯＦＤＭ受信機にアンテナを介して送信する送信ステップとを含むことを特徴とする。
【００１０】
本発明のＯＦＤＭ信号送信方法は、上述した課題を解決するために、第１のサービスエリアを構成するＯＦＤＭ送信機のＯＦＤＭ信号送信方法において、通信路符号化によって得られるビット列を変調して第１のデータチャネル信号および第２のデータチャネル信号のうちのいずれか１つ以上のデータチャネル信号を生成するデータチャネル信号生成ステップと、パイロットチャネル信号を生成するパイロットチャネル信号生成ステップと、データチャネル信号生成ステップの処理により生成されたデータチャネル信号を、複数のＯＦＤＭ送信機間で同一のデータサブキャリアに割り当てるとともに、パイロットチャネル信号生成ステップの処理により生成されたパイロットチャネル信号を、複数のＯＦＤＭ送信機間で同一のパイロットサブキャリアであり、かつ第１のサービスエリアを構成するＯＦＤＭ送信機を制御する制御局から第１のサービスエリアの構成要素となるすべてのＯＦＤＭ送信機に対して予め通知されたパイロット配置に基づくパイロットサブキャリアに割り当てる割り当てステップと、第１のパイロットサブキャリアと、第１のパイロットサブキャリアと同一のスクランブリングコードが乗算される第２のパイロットサブキャリアと、第１のパイロットサブキャリアと第２のパイロットサブキャリアに時間と周波数が近く、かつ同一のスクランブリングコードが乗算される１または複数のデータサブキャリアを含む少なくとも１つのサブキャリアグループを設定するサブキャリアグループ設定ステップと、データチャネル信号のうちの、サブキャリアグループ設定ステップによってサブキャリアグループが設定された第１のデータチャネル信号およびパイロットチャネル信号に対して、同一のサブキャリアグループが設定された複数のＯＦＤＭ送信機間で同一のスクランブリングコードを乗算する一方、データチャネル信号のうちの、サブキャリアグループ設定ステップの処理によってサブキャリアグループが設定されていない第２のデータチャネル信号に対して、各々のＯＦＤＭ送信機間で直交もしくは擬似直交の予め定められた送信機に固有のスクランブリングコードを乗算するスクランブリングステップと、サブキャリアグループ毎に、複素数値をパイロットチャネル信号および第１のデータチャネル信号に乗算する複素数値乗算ステップと、制御局からの時間シンボル情報に基づく時間シンボルで、スクランブリング手段により各々のＯＦＤＭ送信機間で直交もしくは擬似直交の予め定められたＯＦＤＭ送信機に固有のスクランブリングコードが乗算された第２のデータチャネル信号と、複素数値乗算ステップの処理により複素数値が乗じられたパイロットチャネル信号と第１のデータチャネル信号に対してＯＦＤＭ変調を施し、ＯＦＤＭ信号を生成するＯＦＤＭ信号生成ステップと、ＯＦＤＭ信号生成ステップの処理により生成されたＯＦＤＭ信号をＯＦＤＭ受信機にアンテナを介して送信する送信ステップとを含むことを特徴とする。
【００１１】
本発明のＯＦＤＭ送信機は、上述した課題を解決するために、第１のサービスエリアを構成するＯＦＤＭ送信機において、通信路符号化によって得られるビット列を変調して第１のデータチャネル信号および第２のデータチャネル信号のうちのいずれか１つ以上のデータチャネル信号を生成するデータチャネル信号生成手段と、パイロットチャネル信号を生成するパイロットチャネル信号生成手段と、データチャネル信号生成手段により生成されたデータチャネル信号と、パイロットチャネル信号生成手段により生成されたパイロットチャネル信号を、複数のＯＦＤＭ送信機間で同一のパイロットサブキャリアとデータサブキャリアに割り当てる割り当て手段と、第１のパイロットサブキャリアと、第１のパイロットサブキャリアと同一のスクランブリングコードが乗算される第２のパイロットサブキャリアと、第１のパイロットサブキャリアと第２のパイロットサブキャリアに時間と周波数が近く、かつ同一のスクランブリングコードが乗算される１または複数のデータサブキャリアを含む少なくとも１つのサブキャリアグループを設定するサブキャリアグループ設定手段と、パイロットチャネル信号生成手段により生成されたパイロットチャネル信号のうち、サブキャリアグループ設定手段により設定されるいずれかのサブキャリアグループに属するパイロットチャネル信号に対して、第１のサービスエリアと、第１のサービスエリアを構成するＯＦＤＭ送信機に隣接する１または複数の他のサービスエリアとの間で互いに異なる直交コードを乗算する直交コード乗算手段と、データチャネル信号のうちの、サブキャリアグループ設定手段によってサブキャリアグループが設定された第１のデータチャネル信号および、直交コード乗算手段により直交コードが乗算されたパイロットチャネル信号に対して、同一のサブキャリアグループが設定された複数のＯＦＤＭ送信機間で同一のスクランブリングコードを乗算する一方、データチャネル信号のうちの、サブキャリアグループ設定手段によってサブキャリアグループが設定されていない第２のデータチャネル信号に対して、各々のＯＦＤＭ送信機間で直交もしくは擬似直交の予め定められた送信機に固有のスクランブリングコードを乗算するスクランブリング手段と、サブキャリアグループ毎に、複素数値をパイロットチャネル信号および第１のデータチャネル信号に乗算する複素数値乗算手段と、第１のサービスエリアを構成する複数のＯＦＤＭ送信機を制御する制御局からの時間シンボル情報に基づく時間シンボルで、スクランブリング手段により各々のＯＦＤＭ送信機間で直交もしくは擬似直交の予め定められたＯＦＤＭ送信機に固有のスクランブリングコードが乗算された第２のデータチャネル信号と、複素数値乗算手段により複素数値が乗じられたパイロットチャネル信号と第１のデータチャネル信号に対してＯＦＤＭ変調を施し、ＯＦＤＭ信号を生成するＯＦＤＭ信号生成手段と、ＯＦＤＭ信号生成手段により生成されたＯＦＤＭ信号をＯＦＤＭ受信機にアンテナを介して送信する送信手段とを備えることを特徴とする。
【００１２】
本発明のＯＦＤＭ送信機は、上述した課題を解決するために、第１のサービスエリアを構成するＯＦＤＭ送信機において、通信路符号化によって得られるビット列を変調して第１のデータチャネル信号および第２のデータチャネル信号のうちのいずれか１つ以上のデータチャネル信号を生成するデータチャネル信号生成手段と、パイロットチャネル信号を生成するパイロットチャネル信号生成手段と、データチャネル信号生成手段により生成されたデータチャネル信号を、複数のＯＦＤＭ送信機間で同一のデータサブキャリアに割り当てるとともに、パイロットチャネル信号生成手段により生成されたパイロットチャネル信号を、複数のＯＦＤＭ送信機間で同一のパイロットサブキャリアであり、かつ第１のサービスエリアを構成するＯＦＤＭ送信機を制御する制御局から第１のサービスエリアの構成要素となるすべてのＯＦＤＭ送信機に対して予め通知されたパイロット配置に基づくパイロットサブキャリアに割り当てる割り当て手段と、第１のパイロットサブキャリアと、第１のパイロットサブキャリアと同一のスクランブリングコードが乗算される第２のパイロットサブキャリアと、第１のパイロットサブキャリアと第２のパイロットサブキャリアに時間と周波数が近く、かつ同一のスクランブリングコードが乗算される１または複数のデータサブキャリアを含む少なくとも１つのサブキャリアグループを設定するサブキャリアグループ設定手段と、データチャネル信号のうちの、サブキャリアグループ設定手段によってサブキャリアグループが設定された第１のデータチャネル信号およびパイロットチャネル信号に対して、同一のサブキャリアグループが設定された複数のＯＦＤＭ送信機間で同一のスクランブリングコードを乗算する一方、データチャネル信号のうちの、サブキャリアグループ設定手段によってサブキャリアグループが設定されていない第２のデータチャネル信号に対して、各々のＯＦＤＭ送信機間で直交もしくは擬似直交の予め定められた送信機に固有のスクランブリングコードを乗算するスクランブリング手段と、サブキャリアグループ毎に、複素数値をパイロットチャネル信号および第１のデータチャネル信号に乗算する複素数値乗算手段と、制御局からの時間シンボル情報に基づく時間シンボルで、スクランブリング手段により各々のＯＦＤＭ送信機間で直交もしくは擬似直交の予め定められたＯＦＤＭ送信機に固有のスクランブリングコードが乗算された第２のデータチャネル信号と、複素数値乗算手段により複素数値が乗じられたパイロットチャネル信号と第１のデータチャネル信号に対してＯＦＤＭ変調を施し、ＯＦＤＭ信号を生成するＯＦＤＭ信号生成手段と、ＯＦＤＭ信号生成手段により生成されたＯＦＤＭ信号をＯＦＤＭ受信機にアンテナを介して送信する送信手段とを備えることを特徴とする。
【００１３】
本発明のＯＦＤＭ受信機は、上述した課題を解決するために、第１のサービスエリアを構成するＯＦＤＭ送信機から送信されたＯＦＤＭ信号を受信する受信手段と、受信手段により受信されたＯＦＤＭ信号に対してＯＦＤＭ復調を施し、サブキャリア毎の信号に分割するＯＦＤＭ復調手段と、サブキャリア毎に分割された信号から、サブキャリアにそれぞれ割り当てられているパイロットチャネル信号とデータチャネル信号を分離する分離手段と、分離手段により分離されたデータチャネル信号に対して、同一のサブキャリアグループが設定された複数のＯＦＤＭ送信機間で同一のスクランブリングコード、またはＯＦＤＭ送信機に固有のスクランブリングコードを用いてデスクランブリングするデスクランブリング手段と、分離手段により分離れたパイロットチャネル信号に対して、第１のサービスエリアと、第１のサービスエリアを構成するＯＦＤＭ送信機に隣接する１または複数の他のサービスエリアとの間で互いに異なる直交コードを乗算する直交コード乗算手段と、直交コード乗算手段により直交コードが乗算されたパイロットチャネル信号に基づいて、分離手段により分離されたデータチャネル信号のチャネル推定を行うチャネル推定手段と、チャネル推定手段により推定されたチャネル推定値を用いて、デスクランブリング手段によりデスクランブリングされたデータチャネル信号を等化する等化手段と、等化手段により等化されたデータチャネル信号を復調するデータ復調手段とを備えることを特徴とする。
【００１４】
本発明のＯＦＤＭ受信機は、上述した課題を解決するために、第１のサービスエリアを構成するＯＦＤＭ送信機から送信されたＯＦＤＭ信号を受信する受信手段と、受信手段により受信されたＯＦＤＭ信号に対してＯＦＤＭ復調を施し、サブキャリア毎の信号に分割するＯＦＤＭ復調手段と、サブキャリア毎に分割された信号から、第１のサービスエリアを構成するＯＦＤＭ送信機を制御する制御局から第１のサービスエリアの構成要素となるすべてのＯＦＤＭ送信機に対して予め通知されたパイロット配置に基づくパイロットサブキャリアに割り当てられたパイロットチャネル信号と、サブキャリアに割り当てられているデータチャネル信号を分離する分離手段と、分離手段により分離されたデータチャネル信号に対して、同一のサブキャリアグループが設定された複数のＯＦＤＭ送信機間で同一のスクランブリングコード、またはＯＦＤＭ送信機に固有のスクランブリングコードを用いてデスクランブリングするデスクランブリング手段と、分離手段により分離されたパイロットチャネル信号に基づいて、分離手段により分離されたデータチャネル信号のチャネル推定を行うチャネル推定手段と、チャネル推定手段により推定されたチャネル推定値を用いて、デスクランブリング手段によりデスクランブリングされたデータチャネル信号を等化する等化手段と、等化手段により等化されたデータチャネル信号を復調するデータ復調手段とを備えることを特徴とする。
【００１５】
本発明の制御局は、上述した課題を解決するために、複数のＯＦＤＭ送信機により構成される同一のサービスエリアを提供する制御局において、同一のサービスエリアを構成するすべてのＯＦＤＭ送信機に対して、マクロダイバーシチ受信が適用されるデータの時間シンボルを決定するとともに、データの送信時に同一のサービスエリアを構成するすべてのＯＦＤＭ送信機にてパイロットチャネル信号に乗算される直交コードおよびパイロットチャネル信号のパイロット配置の少なくともいずれか１つ以上を決定する決定手段と、決定手段により決定された時間シンボルに関する情報、および直交コードとパイロット配置の少なくともいずれか１つ以上を、同一のサービスエリアを構成するすべてのＯＦＤＭ送信機に対して送信する送信手段とを備えることを特徴とする。
【発明の効果】
【００１６】
本発明によれば、グループスクランブリング方式を用いた場合であっても、マルチキャスト／ブロードキャストサービス通信時におけるパイロットチャネル信号の干渉を抑圧し、マルチキャスト／ブロードキャストサービスエリア境界でのチャネル推定精度を向上させることができる。
【発明を実施するための最良の形態】
【００１７】
以下、本発明の実施の形態について、図面を参照しながら説明する。ここで、本発明の実施形態を説明する前に、本発明の概念について説明する。本発明においては、以下に説明する２つの方法のいずれかまたはその組み合わせにより、隣接するマルチキャスト／ブロードキャストサービスエリアからのパイロットチャネル信号に対する干渉を直交化、またはランダマイズする。このための第１の方法は、隣接するマルチキャスト／ブロードキャストサービスエリア毎にサブキャリアグループ内のパイロットチャネル信号に異なる直交コードをかける。第２の方法は、隣接するマルチキャスト／ブロードキャストサービスエリア毎にパイロットサブキャリアの位置を変える。
【００１８】
まず、図２（Ａ）乃至（Ｄ）を用いて、第１の方法について説明する。「直交」とは、互いの相関値が０になることをいい、一般に系列長をkとすると、最大でk個の互いに直交関係にある複素数値の系列を生成することができる。図２では、マルチキャスト／ブロードキャストサービスエリアA、B、C、およびDが隣接する場合を例に挙げて説明する。マルチキャスト／ブロードキャストサービスエリアAに属する基地局１のセルエリア内に位置し、かつ、マルチキャスト／ブロードキャストサービスエリアB、C、およびDに属する基地局２、３、および４に近接する位置にあるＯＦＤＭ受信機としての移動局MSのチャネル応答推定値は、以下の［数１］で表される。なお、以下において「π」は円周率を意味する。
【００１９】
［数１］
チャネル応答推定値＝(ha*(a1+a1+a1+a1)+hb*(b1+b1exp(π/2*j)-b1+b1exp(3π/2*j))+hc(c1-c1+c1-c1)+hd(d1+(d1exp(3π/2*j)-d1+d1exp(swπ/2*j)))/4
となる。ここで、マルチキャスト／ブロードキャストサービスエリアA、B、C、およびDにかけられている直交コードはそれぞれ、
マルチキャスト／ブロードキャストサービスエリアAの直交コード＝(1,1,1,1)、
マルチキャスト／ブロードキャストサービスエリアBの直交コード＝(1,exp(π/2*j),-1,exp(3π/2*j))、
マルチキャスト／ブロードキャストサービスエリアCの直交コード＝(1,-1,1,-1)、
マルチキャスト／ブロードキャストサービスエリアDの直交コード＝(1,exp(3π/2*j),-1,exp(π/2*j))、
である。このとき、ＯＦＤＭ送信機としての基地局１、２、３、および４からの伝搬路のチャネル応答はそれぞれ、ha、hb、hc、hdであると仮定した。また、ノイズ成分は信号成分に対して十分小さく無視できるものと仮定した。上記のチャネル応答推定値は、サブキャリアグループ内でチャネルがフラットであると仮定するとa1haとなり、移動局MSにとってa1は既知であるため、a1で除することで所望の基地局１からのチャネル応答haを算出することができる。このように他のマルチキャストブロードキャストサービスエリアからのパイロット信号成分が完全にキャンセルされる。
【００２０】
次に、図３（Ａ）乃至（Ｃ）を用いて、第２の方法について説明する。マルチキャスト／ブロードキャストサービスエリアA、B、およびCが隣接する場合を例に挙げて説明する。マルチキャスト／ブロードキャストサービスエリアAに属する基地局１のセルエリア内に位置し、かつ、マルチキャストブロードキャストサービスエリアB、Cに属する基地局２、基地局３に近接する位置にあるＯＦＤＭ受信機としての移動局MSのチャネル応答推定値は、haa1+hb(d11+d12+d13+d14)/4+hc(d21+d22+d23+d24)/4となる。ここでd1＊、d2＊はマルチキャスト／ブロードキャストサービスエリアAのパイロットサブキャリアの位置に対応する位置にそれぞれ配置されたマルチキャストブロードキャストサービスエリアB、Cのデータサブキャリアに配置されたデータチャネル信号とする。d1＊とd2＊の位相には相関がないため、d1＊とｄ2＊が逆位相で弱めあう場合には干渉の弱いサブキャリアグループとなり、d1＊とd2＊が同位相で強めあう場合には干渉の強いサブキャリアグループになるが、送信データは複数のサブキャリアグループにわたって分散して配置されているため、全体としての性能は向上する。また、一般に、パイロットチャネル信号と比較してデータチャネル信号の電力は低く設定されるため、たとえ強めあう場合であっても、上記説明した従来例よりもチャネル応答推定の性能を高めることができる。なお、第１の方法と第２の方法は、適宜組み合わせるようにしてもよい。この場合、隣接するマルチキャスト／ブロードキャストサービスエリア毎にサブキャリアグループ内のパイロットチャネル信号に異なる直交コードをかけるとともに、隣接するマルチキャスト／ブロードキャストサービスエリア毎にパイロットサブキャリアの位置を変える。
【００２１】
以下、この発明の概念を用いた本発明の実施形態について説明する。図４は、本発明の実施形態に係る無線通信システム１の概略的な構成を表している。図４に示されるように、無線通信システム１は、ＯＦＤＭ送信機制御局１０、複数（Ｎ）のＯＦＤＭ送信機１１−１、１１−２、・・・１１−Ｎ、および各ＯＦＤＭ送信機１１乃至１１−Ｎから異なるチャネル（伝搬路）を経て送信されてくるＯＦＤＭ信号を受信するＯＦＤＭ受信機１２からなる。ＯＦＤＭ送信機１１−１乃至１１−Ｎは、それぞれＯＦＤＭ信号をＯＦＤＭ受信機１２に送信する。ＯＦＤＭ送信機１１−１乃至１１−Ｎは、必ずしもすべて異なる場所に設置されている必要はなく、そのうちのいくつかのＯＦＤＭ送信機１１が同じ場所に設置されるようにしてもよい。例えば２つのＯＦＤＭ送信機１１が一つの無線通信装置の中に含まれてもよい。このような場合、サブキャリア割り当て部やサブキャリアグループ設定部（いずれも後述する）などのＯＦＤＭ送信機１１の構成要素は、いずれのＯＦＤＭ送信機においても共通の構成要素であることから、これらの共通の構成要素を複数のＯＦＤＭ送信機１１で共用するようにしてもよい。
【００２２】
ＯＦＤＭ送信機制御局１０は、少なくとも１つ以上のＯＦＤＭ送信機１１が電力制御などにおいて協調動作を行う際に、各ＯＦＤＭ送信機１１−１乃至１１−Ｎの動作を制御する。
【００２３】
図４のＯＦＤＭ送信機１１−１乃至１１−Ｎは、いずれもセルラーシステム（携帯電話機システム）における「基地局」であり、また、図４のＯＦＤＭ受信機１２は「移動局MS」である。なお、ＯＦＤＭ送信機１１−１乃至１１−Ｎは、以下において、それぞれを個々に区別する必要がない場合、ＯＦＤＭ送信機１１と総称する。さらに、本発明の実施形態においては、ブロードキャスト／マルチキャストサービス（MBS）に特化するため、OFDM送信機制御局１０は特に明記しない限り「MBS制御局」として記述する。
【００２４】
ここで、ＯＦＤＭ送信機制御局１０としてのMBS制御局は、１つのマルチキャスト／ブロードキャストサービスエリアのみならず、複数の異なるマルチキャスト／ブロードキャストサービスエリア（同一のMBSをサポートする基地局の集合）を提供することができる。図５は、MBS database、ＯＦＤＭ送信機制御局１０としてのMBS制御局、およびＯＦＤＭ送信機１１としての基地局により構成されるネットワークシステムの構成例を示している。また、図６は、図５に示されるネットワークシステムにおけるマルチキャスト／ブロードキャストサービスエリアの地理的な配置を示している。例えば図５および図６の場合、マルチキャスト／ブロードキャストサービスエリアAは、ＯＦＤＭ送信機１１としての基地局♯１と基地局♯２のセルエリアのみをカバーする。マルチキャスト／ブロードキャストサービスエリアBは、ＯＦＤＭ送信機１１としての基地局♯３と基地局♯４のセルエリアをカバーし、マルチキャスト／ブロードキャストサービスエリアCは、ＯＦＤＭ送信機１１としての基地局♯５と基地局♯６のセルエリアをカバーする。
【００２５】
このとき、マルチキャスト／ブロードキャストサービスエリアA内の基地局＃２のセルエリア内に位置し、かつ、マルチキャスト／ブロードキャストサービスエリアBおよびCに地理的に近い移動局MS（ＯＦＤＭ受信機）のマルチキャスト／ブロードキャストサービスエリアBおよびCからのパイロットチャネル信号の干渉による影響を低減するのが、本発明の目的となる。
【００２６】
なお、図５と図６の場合、説明を簡略化するために、１つのMBS制御局によって制御される基地局の数を２としたが、このような場合に限られず、３つ以上の基地局が１つのMBS制御局によって制御されるようにしてもよい。
【００２７】
図７は、ＯＦＤＭ送信機制御局１０としてのMBS制御局と、MBS制御局が制御を行うＯＦＤＭ送信機１１としての基地局♯ｋとの間におけるプロセスフローを表している。図７に示されるように、ステップＳ１において、ＯＦＤＭ送信機制御局１０としてのMBS制御局♯１は、MBS送信データの準備ができると、まずMBS送信時間シンボルをスケジューリングしてMBS送信時間シンボルを決定する。また、MBS制御局♯１は、MBS送信時に使用する変調方式やコーディングレートをスケジューリングする。ステップＳ２において、MBS制御局♯１は、MBS制御局♯１が制御する基地局♯１乃至♯２に隣接するマルチキャスト／ブロードキャストサービスエリアで使用される直交コードおよびパイロットチャネル信号の位置のパターンを考慮して、それらと異なる直交コードおよびパイロットチャネル信号のパターンを選択して決定する。
【００２８】
ステップＳ３とＳ４においてMBS制御局♯１は、MBS制御局♯１が制御を行う各基地局♯１乃至♯２に各MBSの送信時間シンボルを通知するとともに、各MBSデータも送信する。このとき、MBS制御局♯１は、選択された直交コードおよびパイロットチャネル信号のパターンも各基地局♯１乃至♯２に送信する。なお、マルチキャスト／ブロードキャストサービスエリア毎にあらかじめ割り当てられた固定の直交コードとパイロットチャネル信号の位置のパターンを使用するようにしてもよい。この場合、各基地局にこれらの情報を通知する必要がなくなり、MBS制御局による制御手続きが簡便となる。
【００２９】
ステップＳ１１において、基地局♯１は、MBS制御局♯１から通知されたコーディングレートおよび変調方式で送信データをコーディングおよび変調するとともに、パイロットチャネル信号にMBS制御局♯１によって指定された直交コードを乗算し、指定されたパイロットチャネル信号の位置のパターンに沿って、データチャネル信号とパイロットチャネル信号をサブキャリアに割り当て、決められた送信時間シンボルのタイミングで送信データを送信する。
【００３０】
図８は、図４に示されるＯＦＤＭ送信機１１の内部の構成を表している。図８に示されるように、ＯＦＤＭ送信機１１は、制御部２１、パイロットチャネル信号生成部２２、データチャネル信号生成部２３、直交コードパターン乗算部５１、サブキャリア割り当て部２４、サブキャリアグループ設定部２５、スクランブリング部２６、複素数値乗算部２７、ＩＦＦＴ部（周波数ー時間領域変換部）２８、無線送信部２９、およびアンテナ３０を備える。
【００３１】
制御部２１は、ＯＦＤＭ送信機１１を統括的に制御し、パイロットチャネル信号生成部２２、データチャネル信号生成部２３、サブキャリア割り当て部２４、サブキャリアグループ設定部２５、スクランブリング部２６、複素数値乗算部２７、およびＩＦＦＴ部２８を制御する。パイロットチャネル信号生成部２２は、パイロットチャネル信号元ビット列生成部３１とパイロットチャネル信号元ビット列変調部３２からなる。パイロットチャネル信号元ビット列生成部３１は、パイロットチャネル信号の元となるビット列を生成し、生成されたビット列をパイロットチャネル信号元ビット列変調部３２に出力する。パイロットチャネル信号元ビット列変調部３２は、パイロットチャネル信号元ビット列生成部３１からのパイロットチャネル信号元ビット列に対して直交位相シフトキーイング（ＱＰＳＫ）のようなディジタル変調を施し、パイロットチャネル信号を生成する。
【００３２】
データコーディング部２３は、データコーディング部３３とコーディング後データ信号変調部３４からなる。データコーディング部３３は、図示せぬ送信データビット列生成部にて生成された送信データビット列（下り送信データビット列）に対して、制御部２１から指示されたチャネルコーディングレートでチャネルコーディングを施し、これにより得られるコーディング後のデータ信号をコーディング後データ信号変調部３４に出力する。コーディング後のデータ信号データ信号変調部３４は、コーディング後のデータ信号に対して、制御部２１から指示された変調方式で、直交位相シフトキーイング（ＱＰＳＫ）のようなディジタル変調を施し、送信データチャネル信号を生成する。
【００３３】
パイロットチャネル信号生成部２２により生成されるパイロットチャネル信号、およびデータチャネル信号生成部２３により生成されるデータチャネル信号は、いずれも複素数値で表される。なお、パイロットチャネル信号は、例えばＯＦＤＭ受信機１２におけるチャネル推定（チャネル応答の推定） に用いられる。パイロットチャネル信号は、ＯＦＤＭ受信機１２のタイミング同期や周波数同期にも用いるようにしてもよい。以下の実施形態においては、パイロットチャネル信号をＯＦＤＭ受信機１２のチャネル推定に用いた場合について説明をしている。
【００３４】
次に、直交コードパターン乗算部５１は、制御部２１からの制御に従い、パイロットチャネル信号生成部２２により生成されたパイロットチャネル信号のうち、サブキャリアグループ設定部２５によって設定される各サブキャリアグループ内に配置されるパイロットチャネル信号に対して、制御部２１から指示された直交コードを乗算する。なお、すでに上述した第１の方法を用いずに第２の方法のみを用いてパイロットチャネル信号の配置のみを変更する場合、直交コードパターン乗算部５１により直交コードの乗算は行われず、パイロットチャネル信号生成部２２により生成されたパイロットチャネル信号は、直接、サブキャリア割り当て部２４に入力される。
【００３５】
サブキャリア割り当て部２４は、パイロットチャネル信号生成部２２からのパイロットチャネル信号、およびデータチャネル信号生成部２３からのデータチャネル信号を、パイロットチャネル信号およびデータチャネル信号のそれぞれに対応するサブキャリア、すなわちパイロットサブキャリアおよびデータサブキャリアにそれぞれ割り当てる。なお、パイロットチャネル信号の配置、すなわち、どのサブキャリアにパイロットチャネル信号を割り当てるかについては、制御部２１からの配置パターンの指示に従う。この配置パターンは、上述したように、予めＯＦＤＭ送信機制御局１０としてのMBS制御局からＯＦＤＭ送信機１１に通知される。ここで、「信号をサブキャリアに割り当てる」とは、複素数値で表される信号に対して、この信号に対応するサブキャリアの時間軸上及び周波数軸上の位置を表すサブキャリアインデックスを付加することを意味する。より具体的な割り当て方法について、図９を参照して以下に説明する。
【００３６】
図９は、図８のサブキャリア割り当て部２４によるサブキャリアの割り当ての様子、およびサブキャリアグループ設定部２５によるサブキャリアグループの設定の様子を表している。図９に示されるように、縦の時間軸に沿ってＯＦＤＭシンボルが配置され、横の周波数軸に沿って各ＯＦＤＭシンボルを形成する複数のサブキャリアが配置される。時間軸に沿って記載された０、１、２、・・・は、ＯＦＤＭシンボル番号を示している。周波数軸に沿って記載された０、１、２、・・・は、サブキャリア番号を示している。
【００３７】
例えば図９中のデータチャネル信号３００には（３，０） というサブキャリアインデックスが付加される。サブキャリア割り当て部２４は、パイロットサブキャリア及びデータサブキャリアにそれぞれ割り当てられたパイロットチャネル信号及びデータチャネル信号を、サブキャリアグループ設定部２５に出力する。
【００３８】
なお、本発明の実施形態においては、図９に示されるように、各ＯＦＤＭ送信機１１からの送信信号をランダマイズするためのスクランブリングコードについて、シンボル毎に１インデックスずつずらして各サブキャリアに乗ずることが前提条件である。すなわち、Ｎシンボル後Ｎサブキャリア左にずれたサブキャリアには、同一の複素数値からなるスクランブリングコードが乗算される。
【００３９】
サブキャリアグループ設定部２５は、パイロットチャネル信号が割り当てられた少なくとも１つ以上のパイロットサブキャリアと、データチャネル信号が割り当てられた１つ以上のデータサブキャリアを含みつつ、同じスクランブリングコードが乗算されたサブキャリアが同じグループに属するようにグルーピングして、少なくとも一つのサブキャリアグループを設定する。図９においては、黒枠で囲った複数のサブキャリアグループが設定される。「サブキャリアグループを設定する」とは、サブキャリアインデックスが付加されたパイロットチャネル信号及びデータチャネル信号にインデックス（グループインデックスという）を付加することを意味している。いずれのサブキャリアグループにも属さない信号には、グループインデックスは付加されない。
【００４０】
なお、同じスクランブリングコード１５が乗算されるパイロットチャネル信号３０１と３０２がそれぞれ割り当てられたパイロットサブキャリアを含むサブキャリアグループ（図９において斜線部分に示されるサブキャリアグループ）では、これら以外のサブキャリアはデータサブキャリアであり、データチャネル信号が割り当てられている。以下に示される他の図面においても同様である。
【００４１】
なお、サブキャリアグループ設定部２５によってサブキャリアグループが設定された信号、すなわちグループインデックスが付加されたデータチャネル信号を「第１データチャネル信号」と定義し、サブキャリアグループが設定されない信号、すなわちグループインデックスが付加されていないデータチャネル信号を、「第２データチャネル信号」と定義する。
【００４２】
ここで、図１中のＯＦＤＭ送信機１１−１乃至１１−Ｎは、サブキャリアグループ設定部２５によってＯＦＤＭ送信機１１間で同一の少なくとも一つのサブキャリアグループを設定する。すなわち、ＯＦＤＭ送信機１１−１乃至１１−Ｎの各々のサブキャリアグループ設定部２５が設定するサブキャリアグループのうち、少なくとも一つは共通である。共通のサブキャリアグループでは、各ＯＦＤＭ送信機１１−１乃至１１−Ｎに共通のパイロットチャネル信号及びデータチャネル信号がパイロットサブキャリア及びデータサブキャリアにそれぞれ割り当てられる。つまり、第１データチャネル信号はマクロダイバーシチ信号であってマクロダイバーシチ受信が適用される信号であり、第２データチャネル信号は非マクロダイバーシチ信号であってマクロダイバーシチ受信非適用の信号であると解釈することもできる。
【００４３】
スクランブリング部２６は、まず、第２データチャネル信号に対して各ＯＦＤＭ送信機１１間で直交もしくは擬似直交の予め定められたＯＦＤＭ送信機固有のスクランブリングコードを乗算する。これに対して、スクランブリング部２６は、パイロットチャネル信号及び第１データチャネル信号に対して、同一のサブキャリアグループを設定したＯＦＤＭ送信機１１間で同一のスクランブリングコードを乗算する。なお、スクランブリングの目的は、変調されたデータシンボル及びパイロットシンボルを、隣接するＯＦＤＭ送信機１１間またはマクロダイバーシチ通信を行うＯＦＤＭ送信機１１のグループ間でランダム化することである。本出願人による特開２００８−２０１２８号公報に詳細に記載しているが、サブキャリアグループ内の各パイロットチャネル信号には、同じ位相のスクランブリングコードがかけられることになる。
【００４４】
スクランブリング部２６は、グループインデックスが付加されたパイロットチャネル信号および第１データチャネル信号を複素数値乗算部２７に出力する一方、スクランブリング後の第２データチャネル信号をＯＦＤＭ変調器であるＩＦＦＴ部（逆高速フーリエ変換部、すなわち、周波数−時間領域変換部）２８に直接出力する。複素数値乗算部２７は、グループインデックスが付加されたパイロットチャネル信号及び第１データチャネル信号に対して、グループインデックスが等しいパイロットチャネル信号及びデータチャネル信号毎に各ＯＦＤＭ送信機１１間で固有の定められた複素数値を乗じる。なお、サブキャリアグループ毎に定められた複素数値は、絶対値が全て同じでもよい。絶対値を同じにすることにより、サブキャリアグループ間で電力差が生じることを回避できる。ここで、複素数値は実数値を包含しており、例えば± １ のような実数値であってもよい。複素数値乗算部２７は、複素数値が乗じられたパイロットチャネル信号及びデータチャネル信号をＩＦＦＴ部２８に出力する。
【００４５】
ＩＦＦＴ部２８は、スクランブリング部２６および複素数値乗算部２７からの信号に対してＯＦＤＭ変調を施し、複数のＯＦＤＭシンボルの系列であるＯＦＤＭ信号を生成する。すなわち、ＩＦＦＴ部２８は、周波数領域の信号を時間領域の信号に変換することによってＯＦＤＭ信号を生成する。ＩＦＦＴ部２８にて生成されたＯＦＤＭ信号は、図示せぬＧＩ付加部によってガードインターバル（ＧＩ）が付加された後、ディジタル− アナログ変換器、アップコンバータ及び電力増幅器などを含む無線送信部２９によって無線信号（ＲＦ信号）に変換され、アンテナ３０から送信される。
【００４６】
次に、図１０は、図４のＯＦＤＭ受信機１２の内部の構成を表している。図１０は、ＯＦＤＭ受信機１２のマクロダイバーシチ受信およびユニキャスト受信に関わる構成を表している。図５に示されるように、ＯＦＤＭ受信機１２は、制御部４１、アンテナ４２、無線受信部４３、ＦＦＴ部（時間−周波数領域変換部）４４、周波数チャネル分離部４５、直交コード乗算部１０１、デスクランブリング部４６、チャネル推定部４７、チャネル等化部４８、データチャネル信号復調部４９、およびデータ信号デコーディング部５０を備える。
【００４７】
制御部４１は、ＯＦＤＭ受信機１２を統括的に制御し、周波数チャネル分離部４５、直交コード乗算部１０１、デスクランブリング部４６、チャネル推定部４７、チャネル等化部４８、データチャネル信号復調部４９、およびデータ信号デコーディング部５０を制御する。
【００４８】
アンテナ４２によって受信された無線信号は、低雑音増幅器、ダウンコンバータ及びアナログ−ディジタル変換器（いずれも図示せず）などを含む無線受信部４３によってベースバンドディジタル信号に変換される。ベースバンドディジタル信号は、図示せぬＧＩ除去部によってガードインターバルが除去された後、ＦＦＴ部４４（高速フーリエ変換部、すなわち、時間−周波数領域変換部）により時間領域の信号から周波数領域の信号、すなわちサブキャリア毎の信号に分割される。ＦＦＴ部４４は、サブキャリア毎に分割された出力信号を周波数チャネル分離部４５に出力する。周波数チャネル分離部４５は、サブキャリアグループ内のサブキャリアにそれぞれ割り当てられているパイロットチャネル信号とデータチャネル信号を分離する。パイロットチャネル信号とデータチャネル信号のサブキャリアの位置については、制御部４１から通知される。
【００４９】
周波数チャネル分離部４５は、分離された各信号（データチャネル信号）をデスクランブリング部４６に出力する。デスクランブリング部４６は、各信号毎にＯＦＤＭ送信機１１でかけられたスクランブリングコード系列（同一のサブキャリアグループが設定された複数のＯＦＤＭ送信機間で同一のスクランブリングコード、またはＯＦＤＭ送信機１１に固有のスクランブリングコード）を用いてデスクランブリングを行い、デスクランブリング後の信号をチャネル等化部４８に出力する。なお、ＯＦＤＭ送信機１１でかけられたスクランブリングコード系列は、ＯＦＤＭ受信機１２側で既知であるものとする。また、周波数チャネル分離部４５は、分離されたパイロットチャネル信号を直交コード乗算部１０１に出力する。
【００５０】
直交コードパターン乗算部１０１は、制御部４１からの制御に従い、パイロットチャネル信号に対して、制御部４１から指示された直交コードを乗算する。なお、すでに上述した第１の方法を用いずに第２の方法のみを用いてパイロットチャネル信号の配置のみを変更する場合、直交コードパターン乗算部１０１により直交コードの乗算は行われず、パイロットチャネル信号は、直接、チャネル推定部４７に入力される。
【００５１】
チャネル推定部４７は、第１データチャネル信号のチャネル推定を行う場合、サブキャリアグループ毎にパイロットチャネル信号の平均化または補間を行うことによりチャネル推定を行う。これに対して、チャネル推定部４７は、第２データチャネル信号のチャネル推定を行う場合、隣接するパイロットチャネル信号の平均化、または補間によりチャネル推定を行う。チャネル推定部４７は、チャネル応答を示すチャネル推定値をチャネル等化部４８に出力する。チャネル等化部４８は、チャネル推定部４７からのチャネル推定値を用いて各データチャネル信号に対してチャネル等化を行う。チャネル等化後のデータチャネル信号はデータチャネル信号復調部４９によって復調され、データ信号の元となるビット列が再生される。
【００５２】
本発明の実施形態においては、ＯＦＤＭ送信機１１としての基地局と、複数のＯＦＤＭ送信機１１により構成される同一のサービスエリアを提供するＯＦＤＭ送信機制御局１０としてのMBS制御局からなる通信処理システムにおいて、制御局は、同一のサービスエリアを構成するすべてのＯＦＤＭ送信機１１に対して、マクロダイバーシチ受信が適用されるデータの時間シンボルを決定するとともに、データの送信時に同一のサービスエリアを構成するすべてのＯＦＤＭ送信機１１にてパイロットチャネル信号に乗算される直交コードおよびパイロットチャネル信号のパイロット配置の少なくともいずれか１つ以上を決定し、決定された時間シンボルに関する情報、および直交コードとパイロット配置の少なくともいずれか１つ以上を、同一のサービスエリアを構成するすべてのＯＦＤＭ送信機１１に対して送信し、同一のサービスエリアを構成する各ＯＦＤＭ送信機１１は、制御局からの時間シンボルに関する情報を受信するとともに、制御局からの直交コードと前記パイロット配置の少なくともいずれか１つ以上を受信し、制御局からの直交コードとパイロット配置の少なくともいずれか１つ以上に基づいて、直交コードによる乗算およびパイロット配置に基づくサブキャリアに対する前記パイロットチャネル信号の割り当ての少なくともいずれか１つ以上を行い、サブキャリアグループを設定しつつ、時間シンボル情報に基づく時間シンボルでＯＦＤＭ信号を生成し、生成されたＯＦＤＭ信号をＯＦＤＭ受信機に送信することができる。
【００５３】
これにより、第１の方法を用いた場合には、隣接するマルチキャスト／ブロードキャストサービスエリアのパイロットチャネル信号による干渉の影響を好適にキャンセルすることができる。また、第２の方法を用いた場合には、マルチキャスト／ブロードキャストサービスエリアの境界でパイロットチャネル信号同士が干渉しあうこと回避することができる。従って、グループスクランブリング方式を用いた場合に、マルチキャスト／ブロードキャストサービス通信時におけるパイロットチャネル信号の干渉を抑圧し、マルチキャストブロード／キャストサービスエリア境界でのチャネル推定精度を向上させることができ、ＯＦＤＭ受信機１２での受信性能を向上させることができる。また、第１の方法と第２の方法を組み合わせることで、隣接して配置されるマルチキャスト／ブロードキャストサービスエリアの数を第１の方法と第２の方法による乗算分だけ増やすことができる。これは、特に、小さいマルチキャスト／ブロードキャストサービスエリアが数多く隣接する環境で効果的である。
【００５４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００５５】
また、本発明の実施形態において説明した一連の処理は、ソフトウェアにより実行させることもできるが、ハードウェアにより実行させることもできる。
【００５６】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【００５７】
【図１】隣接するマルチキャスト／ブロードキャストサービスエリアからのパイロット信号による干渉の影響を説明する説明図。
【図２】隣接するマルチキャスト／ブロードキャストサービスエリア毎にサブキャリアグループ内のパイロットチャネル信号に異なる直交コードを乗算する方法を説明する説明図。
【図３】隣接するマルチキャスト／ブロードキャストサービスエリア毎にパイロットサブキャリアの位置を変更する方法を説明する説明図。
【図４】本発明の実施形態に係る無線通信システムの概略的な構成を示す図。
【図５】MBS database、ＯＦＤＭ送信機制御局としてのMBS制御局、およびＯＦＤＭ送信機としての基地局により構成されるネットワークシステムの構成例を示す図。
【図６】MBS database、ＯＦＤＭ送信機制御局としてのMBS制御局、およびＯＦＤＭ送信機としての基地局により構成されるネットワークシステムの構成例を示す図。
【図７】ＯＦＤＭ送信機制御局としてのMBS制御局と、MBS制御局が制御を行うＯＦＤＭ送信機としての基地局♯ｋとの間におけるプロセスフローを示す図。
【図８】図４に示されるＯＦＤＭ送信機の内部の構成を示すブロック図。
【図９】図２のサブキャリア割り当て部によるサブキャリアの割り当ての様子、およびサブキャリアグループ設定部によるサブキャリアグループの設定の様子を示す図。
【図１０】図４に示されるＯＦＤＭ受信機の内部の構成を示すブロック図。
【符号の説明】
【００５８】
１…無線通信システム、１０…ＯＦＤＭ送信機制御局、１１（１１−１乃至１１−Ｎ）…ＯＦＤＭ送信機、１２…ＯＦＤＭ受信機、２１…制御部、２２…パイロットチャネル信号生成部、２３…データチャネル信号生成部、２４…サブキャリア割り当て部、２５…サブキャリアグループ設定部、２６…スクランブリング部、２７…複素数値乗算部、２８…ＩＦＦＴ部、２９…無線送信部、３０…アンテナ、３１…パイロットチャネル信号元ビット列生成部、３２…パイロットチャネル信号元ビット列変調部、３３…データコーディング部、３４…コーディング後データ信号変調部、４１…制御部、４２…アンテナ、４３…無線受信部、４４…ＦＦＴ部、４５…周波数チャネル分離部、４６…デスクランブリング部、４７…チャネル推定部、４８…チャネル等化部、４９…データチャネル信号復調部、５０…データ信号デコーディング部、５１…直交コードパターン乗算部、１０１…直交コードパターン乗算部。
【図１】
2010114858.tif 000003
【図２】
2010114858.tif 000004
【図３】
2010114858.tif 000005
【図４】
2010114858.tif 000006
【図５】
2010114858.tif 000007
【図６】
2010114858.tif 000008
【図７】
2010114858.tif 000009
【図８】
2010114858.tif 000010
【図９】
2010114858.tif 000011
【図１０】
2010114858.tif 000012